【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
（ａ）複数の画像セグメントの各々における主要グループを決定し、
（ｂ）前記画像セグメントの各々におけるキー・フレームを決定し、
（ｃ）前記画像セグメントの各々における前記各主要グループに関連するジャームを定義し、
（ｄ）サポートと関連付けられた前記ジャームをキャンバス上にレイアウトし、
（ｅ）前記キャンバスの空間を充填する、
画像領域の高凝縮ビジュアル・サマリを生成する方法。
【請求項２】
前記画像はビデオであって、
（ａ）が、
複数のビデオ・セグメントの各々における、最も体積の大きいグループを決定する、
請求項１に記載の画像領域の高凝縮ビジュアル・サマリを生成する方法。
【請求項３】
（ｃ）が、
前記主要グループの前記キー・フレームへの投影を包囲する二次元形状を定義する、
請求項１に記載の画像領域の高凝縮ビジュアル・サマリを生成する方法。
【請求項４】
前記二次元形状が矩形である、請求項３に記載の画像領域の高凝縮ビジュアル・サマリを生成する方法。
【請求項５】
（ｄ）が、
前記キャンバスに適合する最大サイズに前記ジャームがスケーリングされるように、前記各ジャームに適用される倍率を決定する、
請求項１に記載の画像領域の高凝縮ビジュアル・サマリを生成する方法。
【請求項６】
（ｄ）が、
前記ジャームを、各々が当該行の中で最も高いジャームに応じた高さを有する行に配置する、
請求項１に記載の画像領域の高凝縮ビジュアル・サマリを生成する方法。
【請求項７】
（ｅ）が、
前記キャンバスにおける各点のピクセル値に、各点に最も近いジャームと関連付けられたサポートにおける同じピクセル値を付与する、
請求項１に記載の画像領域の高凝縮ビジュアル・サマリを生成する方法。
【請求項８】
前記点に最も近い前記ジャームが、前記点を含むサポートを有していない場合、前記点には、前記点を含むサポートを有する最も近いジャームのピクセル値が付与される、請求項７に記載の画像領域の高凝縮ビジュアル・サマリを生成する方法。
【請求項９】
前記点を含むサポートがない場合、前記点には背景値が付与される、請求項７に記載の画像領域の高凝縮ビジュアル・サマリを生成する方法。
【請求項１０】
（ａ）複数の画像の各々における、重要な領域を含むジャームを決定し、
（ｂ）サポートと関連付けられた前記ジャームをキャンバス上にレイアウトし、
（ｃ）前記キャンバスの空間を充填する、
画像領域の高凝縮ビジュアル・サマリを生成する方法。
【請求項１１】
（ａ）が、
前記複数の画像の各々における顔を検出する、
請求項１０に記載の画像領域の高凝縮ビジュアル・サマリを生成する方法。
【請求項１２】
（ａ）が、
画像の一部と関連付けられたユーザ入力を受信する、
請求項１０に記載の画像領域の高凝縮ビジュアル・サマリを生成する方法。
【請求項１３】
（ａ）が、
画像の主要部分を決定するために、アルゴリズムを用いる、
請求項１０に記載の画像領域の高凝縮ビジュアル・サマリを生成する方法。
【請求項１４】
（ｂ）が、
前記キャンバスに適合する最大サイズに前記ジャームがスケーリングされるように、前記各ジャームに適用される倍率を決定する、
請求項１０に記載の画像領域の高凝縮ビジュアル・サマリを生成する方法。
【請求項１５】
（ｂ）が、
前記ジャームを、各々が当該行の中で最も高いジャームに応じた高さを有する行に配置する、
請求項１０に記載の画像領域の高凝縮ビジュアル・サマリを生成する方法。
【請求項１６】
（ｃ）が、
前記キャンバスにおける各点のピクセル値に、各点に最も近いジャームと関連付けられたサポートにおける同じピクセル値を付与する、
請求項１０に記載の画像領域の高凝縮ビジュアル・サマリを生成する方法。
【請求項１７】
前記点に最も近い前記ジャームが、前記点を含むサポートを有していない場合、前記点には、前記点を含むサポートを有する最も近いジャームのピクセル値が付与される、請求項１６に記載の画像領域の高凝縮ビジュアル・サマリを生成する方法。
【請求項１８】
前記点を含むサポートがない場合、前記点には背景値が付与される、請求項１６に記載の画像領域の高凝縮ビジュアル・サマリを生成する方法。
【請求項１９】
複数の画像セグメントの各々における主要グループを決定する主要グループ決定手段と、
前記画像セグメントの各々におけるキー・フレームを決定するキー・フレーム決定手段と、
前記画像セグメントの各々における前記各主要グループに関連するジャームを定義する定義手段と、
サポートと関連付けられた前記ジャームをキャンバス上にレイアウトするレイアウト手段と、
前記キャンバスの空間を充填する充填手段と、
を備えた、画像領域の高凝縮ビジュアル・サマリを生成する装置。
【請求項２０】
コンピュータを、
複数の画像セグメントの各々における主要グループを決定する主要グループ決定手段、
前記画像セグメントの各々におけるキー・フレームを決定するキー・フレーム決定手段、
前記画像セグメントの各々における前記各主要グループに関連するジャームを定義する定義手段、
サポートと関連付けられた前記ジャームをキャンバス上にレイアウトするレイアウト手段、及び
前記キャンバスの空間を充填する充填手段、
として機能させるための画像領域の高凝縮ビジュアル・サマリを生成するプログラム。
【手続補正２】
【補正対象書類名】明細書
【補正対象項目名】発明の名称
【補正方法】変更
【補正の内容】
【発明の名称】画像領域の高凝縮ビジュアル・サマリを生成する方法、装置及びプログラム
【手続補正３】
【補正対象書類名】明細書
【補正対象項目名】０００１
【補正方法】変更
【補正の内容】
【０００１】
本発明は、画像処理に関し、詳細には、画像セグメントから重要な画像領域を抽出することに関し、さらに詳細には、画像領域の高凝縮ビジュアル・サマリを生成する方法、装置及びプログラムに関する。
【手続補正４】
【補正対象書類名】明細書
【補正対象項目名】０００５
【補正方法】変更
【補正の内容】
【０００５】
上記に鑑み、本発明の課題は、小型スクリーンにも適切に対応する画像領域の高凝縮ビジュアル・サマリを生成することができるようにすることである。
【手続補正５】
【補正対象書類名】明細書
【補正対象項目名】０００８
【補正方法】変更
【補正の内容】
【０００８】
本発明の第１の態様は、画像領域の高凝縮ビジュアル・サマリを生成する方法であって、（ａ）複数の画像セグメントの各々における主要グループを決定し、（ｂ）前記画像セグメントの各々におけるキー・フレームを決定し、（ｃ）前記画像セグメントの各々における前記各主要グループに関連するジャームを定義し、（ｄ）サポートと関連付けられた前記ジャームをキャンバス上にレイアウトし、（ｅ）前記キャンバスの空間を充填する。
【手続補正６】
【補正対象書類名】明細書
【補正対象項目名】０００９
【補正方法】変更
【補正の内容】
【０００９】
本発明の第２の態様は、第１の態様の画像領域の高凝縮ビジュアル・サマリを生成する方法において、前記画像はビデオであって、（ａ）が、複数のビデオ・セグメントの各々における、最も体積の大きいグループを決定する。
【手続補正７】
【補正対象書類名】明細書
【補正対象項目名】００１０
【補正方法】変更
【補正の内容】
【００１０】
本発明の第３の態様は、第１の態様の画像領域の高凝縮ビジュアル・サマリを生成する方法であって、（ｃ）が、前記主要グループの前記キー・フレームへの投影を包囲する二次元形状を定義する。
【手続補正８】
【補正対象書類名】明細書
【補正対象項目名】００１１
【補正方法】変更
【補正の内容】
【００１１】
本発明の第４の態様は、第３の態様の画像領域の高凝縮ビジュアル・サマリを生成する方法であって、前記二次元形状が矩形である。
【手続補正９】
【補正対象書類名】明細書
【補正対象項目名】００１２
【補正方法】変更
【補正の内容】
【００１２】
本発明の第５の態様は、第１の態様の画像領域の高凝縮ビジュアル・サマリを生成する方法であって、（ｄ）が、前記キャンバスに適合する最大サイズに前記ジャームがスケーリングされるように、前記各ジャームに適用される倍率を決定する。
【手続補正１０】
【補正対象書類名】明細書
【補正対象項目名】００１３
【補正方法】変更
【補正の内容】
【００１３】
本発明の第６の態様は、第１の態様の画像領域の高凝縮ビジュアル・サマリを生成する方法であって、（ｄ）が、前記ジャームを、各々が当該行の中で最も高いジャームに応じた高さを有する行に配置する。
【手続補正１１】
【補正対象書類名】明細書
【補正対象項目名】００１４
【補正方法】変更
【補正の内容】
【００１４】
本発明の第７の態様は、第１の態様の画像領域の高凝縮ビジュアル・サマリを生成する方法であって、（ｅ）が、前記キャンバスにおける各点のピクセル値に、各点に最も近いジャームと関連付けられたサポートにおける同じピクセル値を付与する。
【手続補正１２】
【補正対象書類名】明細書
【補正対象項目名】００１５
【補正方法】変更
【補正の内容】
【００１５】
本発明の第８の態様は、第７の態様の画像領域の高凝縮ビジュアル・サマリを生成する方法であって、前記点に最も近い前記ジャームが、前記点を含むサポートを有していない場合、前記点には、前記点を含むサポートを有する最も近いジャームのピクセル値が付与される。
【手続補正１３】
【補正対象書類名】明細書
【補正対象項目名】００１６
【補正方法】変更
【補正の内容】
【００１６】
本発明の第９の態様は、第７の態様の画像領域の高凝縮ビジュアル・サマリを生成する方法であって、前記点を含むサポートがない場合、前記点には背景値が付与される。
【手続補正１４】
【補正対象書類名】明細書
【補正対象項目名】００１７
【補正方法】変更
【補正の内容】
【００１７】
本発明の第１０の態様は、画像領域の高凝縮ビジュアル・サマリを生成する方法であって、（ａ）複数の画像の各々における、重要な領域を含むジャームを決定し、（ｂ）サポートと関連付けられた前記ジャームをキャンバス上にレイアウトし、（ｃ）前記キャンバスの空間を充填する。
【手続補正１５】
【補正対象書類名】明細書
【補正対象項目名】００１８
【補正方法】変更
【補正の内容】
【００１８】
本発明の第１１の態様は、第１０の態様の画像領域の高凝縮ビジュアル・サマリを生成する方法であって、（ａ）が、前記複数の画像の各々における顔を検出する。
【手続補正１６】
【補正対象書類名】明細書
【補正対象項目名】００１９
【補正方法】変更
【補正の内容】
【００１９】
本発明の第１２の態様は、第１０の態様の画像領域の高凝縮ビジュアル・サマリを生成する方法であって、（ａ）が、画像の一部と関連付けられたユーザ入力を受信する。
【手続補正１７】
【補正対象書類名】明細書
【補正対象項目名】００２０
【補正方法】変更
【補正の内容】
【００２０】
本発明の第１３の態様は、第１０の態様の画像領域の高凝縮ビジュアル・サマリを生成する方法であって、（ａ）が、画像の主要部分を決定するために、アルゴリズムを用いる。
【手続補正１８】
【補正対象書類名】明細書
【補正対象項目名】００２１
【補正方法】変更
【補正の内容】
【００２１】
本発明の第１４の態様は、第１０の態様の画像領域の高凝縮ビジュアル・サマリを生成する方法であって、（ｂ）が、前記キャンバスに適合する最大サイズに前記ジャームがスケーリングされるように、前記各ジャームに適用される倍率を決定する。
【手続補正１９】
【補正対象書類名】明細書
【補正対象項目名】００２２
【補正方法】変更
【補正の内容】
【００２２】
本発明の第１５の態様は、第１０の態様の画像領域の高凝縮ビジュアル・サマリを生成する方法であって、（ｂ）が、前記ジャームを、各々が当該行の中で最も高いジャームに応じた高さを有する行に配置する。
【手続補正２０】
【補正対象書類名】明細書
【補正対象項目名】００２３
【補正方法】変更
【補正の内容】
【００２３】
本発明の第１６の態様は、第１０の態様の画像領域の高凝縮ビジュアル・サマリを生成する方法であって、（ｃ）が、前記キャンバスにおける各点のピクセル値に、各点に最も近いジャームと関連付けられたサポートにおける同じピクセル値を付与する。
【手続補正２１】
【補正対象書類名】明細書
【補正対象項目名】００２４
【補正方法】変更
【補正の内容】
【００２４】
本発明の第１７の態様は、第１６の態様の画像領域の高凝縮ビジュアル・サマリを生成する方法であって、前記点に最も近い前記ジャームが、前記点を含むサポートを有していない場合、前記点には、前記点を含むサポートを有する最も近いジャームのピクセル値が付与される。
【手続補正２２】
【補正対象書類名】明細書
【補正対象項目名】００２５
【補正方法】変更
【補正の内容】
【００２５】
本発明の第１８の態様は、第１６の態様の画像領域の高凝縮ビジュアル・サマリを生成する方法であって、前記点を含むサポートがない場合、前記点には背景値が付与される。
【手続補正２３】
【補正対象書類名】明細書
【補正対象項目名】００２６
【補正方法】変更
【補正の内容】
【００２６】
本発明の第１９の態様は、画像領域の高凝縮ビジュアル・サマリを生成する装置であって、複数の画像セグメントの各々における主要グループを決定する主要グループ決定手段と、前記画像セグメントの各々におけるキー・フレームを決定するキー・フレーム決定手段と、前記画像セグメントの各々における前記各主要グループに関連するジャームを定義する定義手段と、サポートと関連付けられた前記ジャームをキャンバス上にレイアウトするレイアウト手段と、前記キャンバスの空間を充填する充填手段と、を備える。
【手続補正２４】
【補正対象書類名】明細書
【補正対象項目名】００２７
【補正方法】変更
【補正の内容】
【００２７】
本発明の第２０の態様は、画像領域の高凝縮ビジュアル・サマリを生成するプログラムであって、コンピュータを、複数の画像セグメントの各々における主要グループを決定する主要グループ決定手段、前記画像セグメントの各々におけるキー・フレームを決定するキー・フレーム決定手段、前記画像セグメントの各々における前記各主要グループに関連するジャームを定義する定義手段、サポートと関連付けられた前記ジャームをキャンバス上にレイアウトするレイアウト手段、及び前記キャンバスの空間を充填する充填手段、として機能させる。
【手続補正２５】
【補正対象書類名】明細書
【補正対象項目名】００２８
【補正方法】変更
【補正の内容】
【００２８】
本発明は、複数の画像セグメントの各々における主要グループを決定し、前記画像セグメントの各々におけるキー・フレームを決定し、前記画像セグメントの各々における前記各主要グループに関連するジャームを定義し、サポートと関連付けられた前記ジャームをキャンバス上にレイアウトし、前記キャンバスの空間を充填している。これにより、本発明では、小型スクリーンに適切に対応する画像領域の高凝縮ビジュアル・サマリを生成することができる。